(57)【特許請求の範囲】
【請求項１】
双眼鏡を保持し所望の高さ位置に置いて架台によって支持される双眼鏡の保持装置において、
底部支持板と、
前記底部支持板上に設けられ、その左右両端に固定された２つの直立柱と、
前記直立柱どうしを連結し、保持される双眼鏡の左右の対物レンズ鏡筒付近を共に挟持可能な押さえ部材と、
前記底部支持板の下部に回転可能に設けられた駆動ノブと、
前記底部支持板の上方に配置され双眼鏡が載置される載置板と、
前記載置板に設けられ前記２つの直立柱の各々を貫通させる２つの貫通孔と、
前記載置板の下部の略中央部には、架台に固定される基体部を有し、
さらに前記載置板の下部には、前記基体部に対し、載置される双眼鏡の対物レンズ側に配置され前記駆動ノブと螺合する駆動軸とを有し、
前記駆動ノブを一方の方向へ回転させると、前記底部支持板が上方に移動することで前記２つの直立柱も上方に移動し、前記駆動ノブを他方の方向へ回転させると、前記底部支持板が下方に移動することで前記２つの直立柱も下方に移動し、双眼鏡を前記載置板と前記押さえ部材との間への開放と挟持を可能にすることを特徴とする双眼鏡の保持装置。
【請求項２】
前記載置板において双眼鏡の接眼部が載置される領域は、双眼鏡の対物部が載置される領域よりも上方に高くなっている段差を有することを特徴とする請求項１に記載の双眼鏡の保持装置。
【発明の詳細な説明】
【０００１】
【発明の属する技術分野】
本発明は、架台に支持される双眼鏡の保持装置に関するものである。
【０００２】
【従来の技術】
従来の架台に支持される双眼鏡の保持装置は、図６、図７に示す如く構成されていた。
以下、図面を参照して従来の双眼鏡の保持装置を説明する。
図７は、従来の双眼鏡の保持装置及び保持される双眼鏡の斜視図である。
【０００３】
図７において、双眼鏡２１の中心軸２４の対物側先端面には、保持装置に支持させるための雌ネジ２４ａが螺刻されており、先端外周には、ネジ２４ｂが螺刻されている。保持装置を使用しない通常の使用状態では、キャップ２３がネジ２３に螺合して固定され、雌ネジ２４ａを覆っている。保持装置の基体部２２は、Ｌ字形状部材であり、架台２６に固定される当接面には、架台２６の有する取り付けネジが嵌合する、雌ネジが長手方向に２カ所螺刻されている。そして、当接面に直交する直立部には、双眼鏡２１の中心軸２４に螺刻された雌ネジ２４ａに螺合する支持ネジ２５ａが螺刻された締め付けノブ２５が設けられている。
【０００４】
上記の如き構成にあっては、架台２６を使用して観察する場合、まず、双眼鏡２１からキャップ２３を取り外すことによって雌ネジ２４ａを露出させる。その後、保持装置の締め付けノブ２５を回転させて、支持ネジ２５ａを雌ネジ２４ａに螺合させることによって、基体部２２と双眼鏡２１とを一体と成す。そして、基体部２２を、架台２６の有する取り付けネジと、雌ネジとの螺合によって双眼鏡２１が、架台２６に固定される。
【０００５】
図８は、従来の双眼鏡の保持装置及び保持される双眼鏡の斜視図である。
図８において、保持装置に保持される双眼鏡２１は中心軸３４を有している。保持装置の基体部３２の端部には、支持受け部３６が設けられている。支持受け部３６は、中心軸３４を挿入する為の挿入部３６ｃが形成されており、その底部には、中心軸３４を挟持するための円弧状の溝３６ｂが形成され、外周部には、雄ネジ３６ａが設けられている。また、支持押さえ部３５は、挿入部３６ｃに挿入して中心軸３４を確実に支持するための嵌合面３５ｂと、円弧状の溝３５ａが形成されている。そして、嵌合面３５ｂとは一体で回動可能なノブ３５ｃを備えている。また、ノブ３５ｃは内周部に雌ネジが螺刻されている。
【０００６】
上記の如き構成にあっては、双眼鏡３１の中心軸３４を、挿入部３６ｃに挿入して円弧状の溝３６ｂに当接させる。その後、支持押さえ部３５を挿入して円筒状の溝３５ａと、円筒状の溝３６ｂとで中心軸３４を挟持すると共に、ノブ３５ｃを回転させて、雄ネジ部３６ａに支持押さえ部３５を螺合させ固定させる。これによって、双眼鏡３１が保持装置に固定される。
【０００７】
【発明が解決しようとする課題】
このような従来の構成においては、双眼鏡の中心軸周辺に保持装置を配置させるためのスペースを必要としていた。そのために、外観上で大事な正面のデザインに制約を受けるという問題点があった。
また、ダハタイプの双眼鏡にあっては、中心軸周辺に保持装置を取りつけるスペースが無いので、現存タイプの保持装置を使用することができず、また、ダハタイプ用の保持装置は作られていなかった。
【０００８】
本発明は、このような従来の技術に鑑みてなされたものであり、その目的とするところは、一般的に使用される双眼鏡においては、如何なるタイプのものであっても確実に保持できる双眼鏡の保持装置を提供することにある。
【０００９】
【課題を解決するための手段】
上記目的を達成するために、本願は下記を提案する。
【００１０】
双眼鏡を保持し所望の高さ位置に置いて架台によって支持される双眼鏡の保持装置において、底部支持板と、前記底部支持板上に設けられ、その左右両端に固定された２つの直立柱と、前記直立柱どうしを連結し、保持される双眼鏡の左右の対物レンズ鏡筒付近を共に挟持可能な押さえ部材と、前記底部支持板の下部に回転可能に設けられた駆動ノブと、前記底部支持板の上方に配置され双眼鏡が載置される載置板と、前記載置板に設けられ前記２つの直立柱の各々を貫通させる２つの貫通孔と、前記載置板の下部の略中央部には、架台に固定される基体部を有し、さらに前記載置板の下部には、前記基体部に対し、載置される双眼鏡の対物レンズ側に配置され前記駆動ノブと螺合する駆動軸とを有し、  前記駆動ノブを一方の方向へ回転させると、前記底部支持板が上方に移動することで前記２つの直立柱も上方に移動し、前記駆動ノブを他方の方向へ回転させると、前記底部支持板が下方に移動することで前記２つの直立柱も下方に移動し、双眼鏡を前記載置板と前記押さえ部材との間への開放と挟持を可能にすることを特徴とする双眼鏡の保持装置（請求項１）を提供する。
【００１１】
第二に、請求項１に記載の双眼鏡の保持装置は、前記載置板において双眼鏡の接眼部が載置される領域は、双眼鏡の対物部が載置される領域よりも上方に高くなっている段差を有することを特徴とする（請求項２）を提供する。
【００１２】
【発明の実施の形態】
以下、本発明の実施の形態を、図面を参照して説明する。
図１は、本発明の保持装置の実施形態を示す図であり、双眼鏡を載置した状態を説明する図である。（ａ）は正面図、（ｂ）は一部断面の側面図である。
図２は、本発明の保持装置の実施形態を示す図であり、双眼鏡を載置した後に固定した状態を説明する図である。（ａ）は正面図、（ｂ）は一部断面の側面図である。
【００１３】
図３は、図１（ａ）のＡ部を拡大した図であり、図４は、図２（ａ）のＢ部を拡大した図であり、図５は、図１（ａ）Ｃ部を拡大した図である。
図１、図２、図３，図４、図５及び図６において、双眼鏡１は、図１に示す如く基体部２の架台への取り付け面２ｄの反対の面に、一体に設けられた載置板２ａに載置されている。なお、本実施の形態にあっては、基体部２と載置板２ａは樹脂にて一体成形されている。基体部２は、取り付け面２ｄに不図示の架台の固定ネジに螺合する雌ネジ２ｂが螺刻されている。載置板２ａは、樹脂で成形され可撓性を有しており、図６に示す如く、全体が平面でなく、その後部（接眼部の載置部）が一段高くなっており、この部分の後端部に鼻当たりを防ぐ為の切り欠き部２ｃが形成されている。そして、前部平坦部には、載置される双眼鏡の光軸と直交する方向に、左右に振り分けて２つの貫通孔２ｅが設けられている。また、この左右振り分けの中央部の載置板２ａの板裏部には、下方に延在する駆動軸５が植設されており、その外径には、駆動雄ネジが螺刻されている。さらに、載置板２ａの上面には、双眼鏡１をソフトに載置させるための緩衝保持板３が固設されている。
【００１４】
載置板２ａの２つの貫通孔２ｅには、移動部材の側部を構成する直立柱７がそれぞれに貫通している。そして、直立柱７のそれぞれの下方端部は、底部支持板６によって、略コ字形を成す如く一体に固設されている。底部支持板６は、略中央部に駆動ノブ４を軸方向の移動を阻止し、回動自在に保持している。この駆動ノブ４は、内径部に駆動雌ネジ４ａが螺刻されており、駆動軸５の駆動雄ネジ５ａに螺合している。
【００１５】
直立柱７のそれぞれの上方端部には、双眼鏡１の光軸方向と同方向に切り欠かれた溝８ａが形成されている。この溝８ａには、押さえ部材９の先端部が嵌合し、ピン８によって支持され、溝８ａに沿って揺動可能に構成されている。そして、押さえ部材９は、緩衝部材１０によって被覆されている。
このように構成された双眼鏡の保持装置は、以下の如くして使用される。
【００１６】
まず、双眼鏡１を載置板２ａ上の緩衝保持板３に載置する。このとき、後部段差部に接眼部、対物部を前部の押さえ部材９の作用可能位置になるようにする。この状態は、図１（ａ）、（ｂ）に示す通りである。
双眼鏡１を所望の位置に載置完了すると、駆動ノブ４を回転させる。この回転によって、駆動雌ネジ４ａに螺合する駆動軸５の駆動雄ネジ５ａの作用によって、底部支持板６を載置板２ａから離間する方向、即ち、下方に移動させる。この移動を受けて、底部支持板６と一体の直立柱７は、貫通孔２ｅ内を下方に移動する。従って、押さえ部材９も下方に移動して双眼鏡１に緩衝部材１０が当接して双眼鏡１が保持固定される。この状態は図２（ａ）、（ｂ）に示す通りである。
【００１７】
この保持固定は、緩衝保持板３と緩衝部材１０とによって、ソフトに保持されるが、本実施形態では、さらに、載置板２ａに可撓性を持たせてあるので、より確実な保持固定を可能としている。また、緩衝部材１０が双眼鏡１に当接した後の駆動ノブ４の操作が若干強すぎても、双眼鏡１の品質に影響を与えることもない。
【００１８】
双眼鏡１を保持装置から外す場合には、駆動ノブ４を取り付け時に対して逆回転させて、緩衝部材１０の当接を解除すればよい。
保持装置から双眼鏡１を取り外した後に、押さえ部材９を溝８ａに沿って揺動させて倒し、保持装置をコンパクトにする。
【００１９】
【発明の効果】
以上説明したように、本発明によれば、双眼鏡の中心軸周辺に保持装置を配置させるための構成を必要としないので、外観上で大事な正面のデザインに対する自由度が増すという効果を奏する。
また、中心軸周辺に保持装置を取りつけるスペースが無いダハタイプの双眼鏡であっても、架台に取り付けて使用することができるという効果も奏する。
【図面の簡単な説明】
【図１】本発明の保持装置の実施形態を示す図であり、双眼鏡を載置した状態を説明する図である。（ａ）は正面図、（ｂ）は一部断面の側面図である。
【図２】本発明の保持装置の実施形態を示す図であり、双眼鏡を載置した後に固定した状態を説明する図である。（ａ）は正面図、（ｂ）は一部断面の側面図である。
【図３】図１（ａ）のＡ部を拡大した図である。
【図４】図２（ａ）のＢ部を拡大した図である。
【図５】図１（ａ）Ｃ部を拡大した図である。
【図６】本発明の基体部、載置板、及び緩衝保持板を説明する一部断面の側面図である。
【図７】従来の双眼鏡の保持装置及び保持される双眼鏡の斜視図である。
【図８】従来の双眼鏡の保持装置及び保持される双眼鏡の斜視図である。
【符号の説明】
１      双眼鏡
２      基体部
２ａ    載置板
２ｂ    雌ネジ
２ｃ    切り欠き部
２ｄ    取り付け面
２ｅ    貫通孔
３      緩衝保持板
４      駆動ノブ
４ａ    駆動雌ネジ
５      駆動軸
５ａ    駆動雄ネジ
６      底部支持板
７      直立柱
８      ピン
９      押さえ部材
１０    緩衝部材
【図１】
0004065922.tif 000002
【図２】
0004065922.tif 000003
【図３】
0004065922.tif 000004
【図４】
0004065922.tif 000005
【図５】
0004065922.tif 000006
【図６】
0004065922.tif 000007
【図７】
0004065922.tif 000008
【図８】
0004065922.tif 000009